(57)【要約】【課題】任意のファイルフォーマットで初期化された記録媒体と異なるファイルフォーマットで撮像機器が動作している場合に、異なるファイルフォーマットで追記する誤りを回避できるようにする。【解決手段】記録媒体が装着された際に初期化済であるか否かを検出する初期化検出手段と、前記記録媒体の初期化フォーマットの種類を検出する初期化フォーマット検出手段と、前記検出した初期化フォーマットと、本体に設定されている映像信号方式のファイルフォーマットとの相違を検出するフォーマット検出手段と、前記フォーマット検出手段の検出の結果、本体に設定されている映像信号方式のファイルフォーマットが前記記録媒体の初期化フォーマットとは異なる場合においても、前記記録媒体の初期化フォーマットに適合しない前記記録媒体に合わない方式の映像信号の書き込みが行われないようにする。【選択図】図３
2008054231.tif 000002
【特許請求の範囲】
【請求項１】
複数種類の映像信号方式に従う映像信号を生成する撮像手段と、
前記複数種類の映像信号のうちの一つを選択する映像選択手段と、
前記撮像手段により生成された複数種類の映像信号の中から、前記映像選択手段により選択された種類の映像信号を記録媒体に記録する記録手段と、
前記記録媒体が前記映像信号の記録フォーマットに応じた初期化済であるか否かを検出する初期化検出手段と、
前記初期化検出手段により初期化済であると検出された記録媒体の記録フォーマットの種類を検出する記録フォーマット検出手段と、
前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記記録媒体の記録フォーマットにて記録可能な種類の映像信号を生成するように前記撮像手段を制御する制御手段とを有することを特徴とする撮像装置。
【請求項２】
複数種類の映像信号方式に従う映像信号を生成する撮像手段と、
前記複数種類の映像信号のうちの一つを選択する映像選択手段と、
前記撮像手段により生成された複数種類の映像信号の中から、前記映像選択手段により選択された種類の映像信号を記録媒体に記録する記録手段と、
前記記録媒体が前記映像信号の記録フォーマットに応じた初期化済であるか否かを検出する初期化検出手段と、
前記初期化検出手段により初期化済であると検出された記録媒体の記録フォーマットの種類を検出する記録フォーマット検出手段と、
前記本体に装着された記録媒体を排出する記録媒体排出手段と、
前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記本体に装着された記録媒体を排出するように前記記録媒体排出手段を制御する制御手段とを有することを特徴とする撮像装置。
【請求項３】
複数種類の映像信号方式に従う映像信号を生成する撮像手段と、
前記複数種類の映像信号のうちの一つを選択する映像選択手段と、
前記撮像手段により生成された複数種類の映像信号の中から、前記映像選択手段により選択された種類の映像信号を記録媒体に記録する記録手段と、
前記記録媒体が前記映像信号の記録フォーマットに応じた初期化済であるか否かを検出する初期化検出手段と、
前記初期化検出手段により初期化済であると検出された記録媒体の記録フォーマットの種類を検出する記録フォーマット検出手段と、
前記記録媒体を初期化するか否かをユーザーに選択させる初期化選択手段と、
前記記録媒体を初期化する初期化手段と、
前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記本体に装着された記録媒体を初期化するか否かをユーザーに選択させるように前記初期化選択手段を制御するとともに、前記記録媒体を初期化することをユーザーが選択した場合に、前記記録媒体を初期化するように前記初期化手段を制御する制御手段とを有することを特徴とする撮像装置。
【請求項４】
前記記録フォーマット検出手段により検出した記録フォーマットが、前記映像選択手段により選択されている種類の映像信号を記録可能な記録フォーマットでない場合に、その旨を示す情報を表示装置に表示する表示手段とを有することを特徴とする請求項１〜３の何れか１項に記載の撮像装置。
【請求項５】
前記記録媒体は光学ディスクであり、前記フォーマットは、ファイルフォーマットと映像信号の記録方式との組み合わせからなる記録フォーマットであることを特徴とする請求項１〜４の何れか１項に記載の撮像装置。
【請求項６】
複数種類の映像信号方式に従う映像信号を生成する撮像工程と、
前記複数種類の映像信号のうちの一つを選択する映像選択工程と、
前記撮像工程において生成された複数種類の映像信号の中から、前記映像選択工程において選択された種類の映像信号を記録媒体に記録する記録工程と、
前記記録媒体が前記映像信号の記録フォーマットに応じた初期化済であるか否かを検出する初期化検出工程と、
前記初期化検出工程において初期化済であると検出された記録媒体の記録フォーマットの種類を検出する記録フォーマット検出工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体の記録フォーマットにて記録可能な種類の映像信号を生成するように前記撮像工程の映像信号生成方式を制御する制御工程とを有することを特徴とする撮像装置の制御方法。
【請求項７】
複数種類の映像信号方式に従う映像信号を生成する撮像工程と、
前記複数種類の映像信号のうちの一つを選択する映像選択工程と、
前記撮像工程において生成された複数種類の映像信号の中から、前記映像選択工程において選択された種類の映像信号を記録媒体に記録する記録工程と、
前記記録媒体が前記映像信号の記録フォーマットに応じた初期化済であるか否かを検出する初期化検出工程と、
前記初期化検出工程において初期化済であると検出された記録媒体の記録フォーマットの種類を検出する記録フォーマット検出工程と、
前記映像信号を記録するために本体に装着された記録媒体を排出する記録媒体排出工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記本体に装着された記録媒体を排出するように前記記録媒体排出工程の記録媒体排出動作を制御する制御工程とを有することを特徴とする撮像装置の制御方法。
【請求項８】
複数種類の映像信号方式に従う映像信号を生成する撮像工程と、
前記複数種類の映像信号のうちの一つを選択する映像選択工程と、
前記撮像工程において生成された複数種類の映像信号の中から、前記映像選択工程において選択された種類の映像信号を記録媒体に記録する記録工程と、
前記記録媒体が前記映像信号の記録フォーマットに応じた初期化済であるか否かを検出する初期化検出工程と、
前記初期化検出工程において初期化済であると検出された記録媒体の記録フォーマットの種類を検出する記録フォーマット検出工程と、
前記記録媒体を初期化するか否かをユーザーに選択させる初期化選択工程と、
前記記録媒体を初期化する初期化工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体を初期化することがユーザーにより選択された際に、前記記録媒体を初期化するように前記初期化工程の初期化動作を制御する制御工程とを有することを特徴とする撮像装置の制御方法。
【請求項９】
複数種類の映像信号方式に従う映像信号を生成する撮像工程と、
前記複数種類の映像信号のうちの一つを選択する映像選択工程と、
前記撮像工程において生成された複数種類の映像信号の中から、前記映像選択工程において選択された種類の映像信号を記録媒体に記録する記録工程と、
前記記録媒体が前記映像信号の記録フォーマットに応じた初期化済であるか否かを検出する初期化検出工程と、
前記初期化検出工程において初期化済であると検出された記録媒体の記録フォーマットの種類を検出する記録フォーマット検出工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体の記録フォーマットにて記録可能な種類の映像信号を生成するように前記撮像工程の映像信号生成方式を制御する制御工程とを有する撮像装置の制御方法をコンピュータに実行させることを特徴とするプログラム。
【請求項１０】
複数種類の映像信号方式に従う映像信号を生成する撮像工程と、
前記複数種類の映像信号のうちの一つを選択する映像選択工程と、
前記撮像工程において生成された複数種類の映像信号の中から、前記映像選択工程において選択された種類の映像信号を記録媒体に記録する記録工程と、
前記記録媒体が前記映像信号の記録フォーマットに応じた初期化済であるか否かを検出する初期化検出工程と、
前記初期化検出工程において初期化済であると検出された記録媒体の記録フォーマットの種類を検出する記録フォーマット検出工程と、
前記映像信号を記録するために本体に装着された記録媒体を排出する記録媒体排出工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記本体に装着された記録媒体を排出するように前記記録媒体排出工程の記録媒体排出動作を制御する制御工程とを有する撮像装置の制御方法をコンピュータに実行させることを特徴とするプログラム。
【請求項１１】
複数種類の映像信号方式に従う映像信号を生成する撮像工程と、
前記複数種類の映像信号のうちの一つを選択する映像選択工程と、
前記撮像工程において生成された複数種類の映像信号の中から、前記映像選択工程において選択された種類の映像信号を記録媒体に記録する記録工程と、
前記記録媒体が前記映像信号の記録フォーマットに応じた初期化済であるか否かを検出する初期化検出工程と、
前記初期化検出工程において初期化済であると検出された記録媒体の記録フォーマットの種類を検出する記録フォーマット検出工程と、
前記記録媒体を初期化するか否かをユーザーに選択させる初期化選択工程と、
前記記録媒体を初期化する初期化工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体を初期化することがユーザーにより選択された際に、前記記録媒体を初期化するように前記初期化工程の初期化動作を制御する制御工程とを有する撮像装置の制御方法をコンピュータに実行させることを特徴とするプログラム。
【請求項１２】
請求項９〜１１の何れか１項に記載のプログラムを記録したことを特徴とするコンピュータ読み取り可能な記録媒体。
【発明の詳細な説明】
【技術分野】
【０００１】
本発明は撮像装置及び撮像装置の制御方法に関し、特に、光学ディスクに代表されるような、フォーマットを必要とする記録媒体に映像信号や音声信号を記録するために用いて好適な技術に関する。
【背景技術】
【０００２】
映像信号及び音声信号を記録するカムコーダとして、記録媒体に光学ディスク（ディスク）を利用したビデオカムコーダ（以下、ディスクカムコーダ）が知られている。こうしたディスクカムコーダでは、ディスクとして物理フォーマットの異なるディスクを検出し、その種類に応じて異なる記録方式で記録するためのディスクフォーマット処理を行い、ビデオ信号を記録する技術が提案されている（例えば、特許文献１）。
【０００３】
ディスクカムコーダにおいて使用されるディスクとしては、ＤＶＤ−Ｒ、ＤＶＤ−ＲＷなど様々な種類がある。例えば、ＤＶＤ−Ｒディスクに対しては、ＤＶＤビデオフォーマット（以下Ｖｉｄｅｏフォーマット）に従って映像、音声を記録する。また、ＤＶＤ−ＲＷディスクに対しては、Ｖｉｄｅｏフォーマットもしくはビデオレコーディングフォーマット（以下、ＶＲフォーマット）に従って映像、音声を記録する。
【０００４】
また、ディスクカムコーダにおいて、記録開始の段階でディスクがフォーマットされていなければ、映像及び音声信号を一時メモリに保存する。そして、その間に自動的に所定のディスクフォーマット処理を行い、処理後、一時メモリの情報をディスクへ記録開始する技術も提案されている（例えば、特許文献２）。
【０００５】
さらに、ディスクへの記録は、記録データをファイルとして扱うためファイルシステムが必要であり、フォーマットの際はファイルフォーマット処理も必要となる。光学ディスクはＵＤＦ（Universal Disk Format）形式のファイルを採用しており、ＤＶＤ−Ｒ、ＤＶＤ−ＲＷはＵＤＦ２．０のファイルフォーマットに対応している。
【０００６】
このように、ディスクカムコーダでは、映像や音声を光学ディスクへ記録する前に、ファイルフォーマット処理とディスクフォーマット処理を行い、ディスクへのデータ書き込みを可能にしておく必要がある。
【０００７】
【特許文献１】特開２００３−０７８８７４号公報
【特許文献２】特開２００５−２４３０７１号公報
【発明の開示】
【発明が解決しようとする課題】
【０００８】
ハイビジョン規格（ＨＤＴＶ）のような高品位の映像、音声をディスクへ記録する場合、携帯性や小型化を考慮すると、ディスクカムコーダでは従来の８ｃｍサイズのディスクより大きなサイズのディスクを利用することは難しい。そのため、例えばＭＰＥＧ４−ＡＶＣ（Ｈ．２６４）規格のように圧縮効率の高いコーデックを使うことで、ビットレートの向上を抑えつつ、従来サイズのディスクに高品位の映像、音声を記録することが可能である。
【０００９】
ただし、現行のＤＶＤ記録のファイルフォーマットであるＵＤＦ２．０はＨＤＴＶの映像、音声の規格に対応していないため、これらに対応した新しいファイルフォーマットが必要となる。
【００１０】
しかしながら、長時間記録を行うには映像の解像度をＳＤＴＶまで落としたり、圧縮率を落としたりする等、低ビットレートの圧縮を行う必要がある。また、他の再生装置で再生を行うことを考慮した場合、ＳＤＴＶの解像度で現行のＭＰＥＧ２による圧縮方式を用いたＤＶＤ記録として記録することで互換性が得られやすい利点が得られる。
【００１１】
また、ディスクカムコーダでは、ディスクのファイルフォーマットとディスクフォーマットと映像（音声）の規格が各々複数存在し、それぞれの組み合わせを適切に選択しないと記録することができなくなってしまう問題点があった。
【００１２】
特に、ファイルフォーマットに関しては、一度記録媒体が特定のフォーマットで初期化されると、以後の記録動作に関しては、異なるファイルフォーマットでの記録はできなくなってしまう。勿論、再初期化可能なディスクフォーマットで構成される記録媒体であれば、前記異なるファイルフォーマットで再初期化を行えば撮影が可能であるが、その場合、今まで記録されたコンテンツは全て消去されるといった問題が発生する。
【００１３】
本発明は以上のことを鑑みてなされたものであって、任意のファイルフォーマットで初期化された記録媒体と異なる映像信号方式で撮像装置が動作している場合に、異なる映像信号方式で追記してしまう誤りを回避できるようにすることを目的とする。
【課題を解決するための手段】
【００１４】
本発明の撮像装置は、複数種類の映像信号方式に従う映像信号を生成する撮像手段と、前記複数種類の映像信号のうちの一つを選択する映像選択手段と、前記撮像手段により生成された複数種類の映像信号の中から、前記映像選択手段により選択された種類の映像信号を記録媒体に記録する記録手段と、前記記録媒体が前記映像信号の記録フォーマットに応じた初期化済であるか否かを検出する初期化検出手段と、前記初期化検出手段により初期化済であると検出された記録媒体の記録フォーマットの種類を検出する記録フォーマット検出手段と、前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記記録媒体の記録フォーマットにて記録可能な種類の映像信号を生成するように前記撮像手段を制御する制御手段とを有することを特徴とする。
また、本発明の撮像装置の他の特徴とするところは、複数種類の映像信号方式に従う映像信号を生成する撮像手段と、前記複数種類の映像信号のうちの一つを選択する映像選択手段と、前記撮像手段により生成された複数種類の映像信号の中から、前記映像選択手段により選択された種類の映像信号を記録媒体に記録する記録手段と、前記記録媒体が前記映像信号の記録フォーマットに応じた初期化済であるか否かを検出する初期化検出手段と、前記初期化検出手段により初期化済であると検出された記録媒体の記録フォーマットの種類を検出する記録フォーマット検出手段と、前記本体に装着された記録媒体を排出する記録媒体排出手段と、前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記本体に装着された記録媒体を排出するように前記記録媒体排出手段を制御する制御手段とを有することを特徴とする。
また、本発明の撮像装置のその他の特徴とするところは、複数種類の映像信号方式に従う映像信号を生成する撮像手段と、前記複数種類の映像信号のうちの一つを選択する映像選択手段と、前記撮像手段により生成された複数種類の映像信号の中から、前記映像選択手段により選択された種類の映像信号を記録媒体に記録する記録手段と、前記記録媒体が前記映像信号の記録フォーマットに応じた初期化済であるか否かを検出する初期化検出手段と、前記初期化検出手段により初期化済であると検出された記録媒体の記録フォーマットの種類を検出する記録フォーマット検出手段と、前記記録媒体を初期化するか否かをユーザーに選択させる初期化選択手段と、前記記録媒体を初期化する初期化手段と、前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記本体に装着された記録媒体を初期化するか否かをユーザーに選択させるように前記初期化選択手段を制御するとともに、前記記録媒体を初期化することをユーザーが選択した場合に、前記記録媒体を初期化するように前記初期化手段を制御する制御手段とを有することを特徴とする。
【００１５】
本発明の撮像装置の制御方法は、複数種類の映像信号方式に従う映像信号を生成する撮像工程と、前記複数種類の映像信号のうちの一つを選択する映像選択工程と、前記撮像工程において生成された複数種類の映像信号の中から、前記映像選択工程において選択された種類の映像信号を記録媒体に記録する記録工程と、前記記録媒体が前記映像信号の記録フォーマットに応じた初期化済であるか否かを検出する初期化検出工程と、前記初期化検出工程において初期化済であると検出された記録媒体の記録フォーマットの種類を検出する記録フォーマット検出工程と、前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体の記録フォーマットにて記録可能な種類の映像信号を生成するように前記撮像工程の映像信号生成方式を制御する制御工程とを有することを特徴とする。
また、本発明の撮像装置の制御方法の他の特徴とするところは、複数種類の映像信号方式に従う映像信号を生成する撮像工程と、前記複数種類の映像信号のうちの一つを選択する映像選択工程と、前記撮像工程において生成された複数種類の映像信号の中から、前記映像選択工程において選択された種類の映像信号を記録媒体に記録する記録工程と、前記記録媒体が前記映像信号の記録フォーマットに応じた初期化済であるか否かを検出する初期化検出工程と、前記初期化検出工程において初期化済であると検出された記録媒体の記録フォーマットの種類を検出する記録フォーマット検出工程と、前記映像信号を記録するために本体に装着された記録媒体を排出する記録媒体排出工程と、前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記本体に装着された記録媒体を排出するように前記記録媒体排出工程の記録媒体排出動作を制御する制御工程とを有することを特徴とする。
また、本発明の撮像装置の制御方法のその他の特徴とするところは、複数種類の映像信号方式に従う映像信号を生成する撮像工程と、前記複数種類の映像信号のうちの一つを選択する映像選択工程と、前記撮像工程において生成された複数種類の映像信号の中から、前記映像選択工程において選択された種類の映像信号を記録媒体に記録する記録工程と、前記記録媒体が前記映像信号の記録フォーマットに応じた初期化済であるか否かを検出する初期化検出工程と、前記初期化検出工程において初期化済であると検出された記録媒体の記録フォーマットの種類を検出する記録フォーマット検出工程と、前記記録媒体を初期化するか否かをユーザーに選択させる初期化選択工程と、前記記録媒体を初期化する初期化工程と、前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体を初期化することがユーザーにより選択された際に、前記記録媒体を初期化するように前記初期化工程の初期化動作を制御する制御工程とを有することを特徴とする。
【００１６】
本発明のプログラムは、複数種類の映像信号方式に従う映像信号を生成する撮像工程と、前記複数種類の映像信号のうちの一つを選択する映像選択工程と、前記撮像工程において生成された複数種類の映像信号の中から、前記映像選択工程において選択された種類の映像信号を記録媒体に記録する記録工程と、前記記録媒体が前記映像信号の記録フォーマットに応じた初期化済であるか否かを検出する初期化検出工程と、前記初期化検出工程において初期化済であると検出された記録媒体の記録フォーマットの種類を検出する記録フォーマット検出工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体の記録フォーマットにて記録可能な種類の映像信号を生成するように前記撮像工程の映像信号生成方式を制御する制御工程とを有することを特徴とする。
また、本発明のプログラムの他の特徴とするところは、複数種類の映像信号方式に従う映像信号を生成する撮像工程と、前記複数種類の映像信号のうちの一つを選択する映像選択工程と、前記撮像工程において生成された複数種類の映像信号の中から、前記映像選択工程において選択された種類の映像信号を記録媒体に記録する記録工程と、前記記録媒体が前記映像信号の記録フォーマットに応じた初期化済であるか否かを検出する初期化検出工程と、前記初期化検出工程において初期化済であると検出された記録媒体の記録フォーマットの種類を検出する記録フォーマット検出工程と、前記映像信号を記録するために本体に装着された記録媒体を排出する記録媒体排出工程と、前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記本体に装着された記録媒体を排出するように前記記録媒体排出工程の記録媒体排出動作を制御する制御工程とを有する撮像装置の制御方法をコンピュータに実行させることを特徴とする。
また、本発明のプログラムのその他の特徴とするところは、複数種類の映像信号方式に従う映像信号を生成する撮像工程と、前記複数種類の映像信号のうちの一つを選択する映像選択工程と、前記撮像工程において生成された複数種類の映像信号の中から、前記映像選択工程において選択された種類の映像信号を記録媒体に記録する記録工程と、前記記録媒体が前記映像信号の記録フォーマットに応じた初期化済であるか否かを検出する初期化検出工程と、前記初期化検出工程において初期化済であると検出された記録媒体の記録フォーマットの種類を検出する記録フォーマット検出工程と、前記記録媒体を初期化するか否かをユーザーに選択させる初期化選択工程と、前記記録媒体を初期化する初期化工程と、前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体を初期化することがユーザーにより選択された際に、前記記録媒体を初期化するように前記初期化工程の初期化動作を制御する制御工程とを有する撮像装置の制御方法をコンピュータに実行させることを特徴とする。
【発明の効果】
【００１７】
本発明によれば、撮像装置が動作しているファイルフォーマットと異なるファイルフォーマット初期化された記録媒体が装着された場合においても、前記装着された記録媒体に適合する映像信号方式の映像信号で記録が行われるようにしたので、装着された記録媒体が初期化されたフォーマットと合わない方式の映像信号で追記する誤りを回避することができる。
【発明を実施するための最良の形態】
【００１８】
以下、本発明の実施形態を用いて説明する。
図１は、光学ディスクを記録媒体とするディスクカムコーダの構成を表したブロック図である。図１において、１０１はレンズ、１０２は固体撮像素子であるＣＣＤ（Charge Coupled Device）である。
【００１９】
１０３は撮像信号から映像信号を生成する映像信号処理回路、１０４は映像信号を表示装置あるいは出力端子へ出力する映像表示出力回路、１０５は映像出力端子、１０６は映像表示装置であるＬＣＤ（Liquid Crystal Display）である。１０７は映像信号の圧縮方式を切り替える切替回路、１０８は第１の映像信号圧縮回路、１０９は第２の映像信号圧縮回路、１１０は圧縮された映像信号を記録媒体へ記録する記録回路である。
【００２０】
１１１は記録媒体である光学ディスク、１１２は初期化要求回路、１１３はディスクカムコーダのシステム制御を行うマイクロコンピュータである。
【００２１】
１１４は光学ディスク１１１を初期化するフォーマットの種別を選択する初期化選択回路であり、１１５、１１６、１１７、及び１１８はそれぞれ、光学ディスク１１１を各々異なるフォーマットで初期化する第１、第２、第３、及び第４の初期化回路である。１１９はＨＤモードまたはＳＤモードのどちらかを選択するためのカメラモード切替回路であり、１２０は光学ディスク１１１を検出する記録媒体検出回路である。
【００２２】
レンズ１０１で結像した光はＣＣＤ１０２で光電変換されて撮像信号となる。撮像信号は、映像信号処理回路１０３で映像信号に変換される。また、マイクロコンピュータ（マイコン）１１３からの指示に従い、カムコーダの状態表示や各種設定を行うためのメニュー画面の表示としてＯＳＤ（On Screen Display）の信号生成も行う。
【００２３】
映像信号は、映像表示出力回路１０４と切替回路１０７へ出力される。映像信号は映像表示出力回路１０４で外部出力信号となり、映像出力端子１０５を介して外部出力される。さらに、映像表示出力回路１０４はＬＣＤ１０６で映像表示を行うための制御も行う。
【００２４】
一方で、映像信号は切替回路１０７にも入力される。切替回路１０７は、マイクロコンピュータ１１３からの指示に従い、入力した映像信号を第１の映像信号圧縮回路１０８と第２の映像信号圧縮回路１０９のいずれか一方に出力する。第１の映像信号圧縮回路１０８と第２の映像信号圧縮回路１０９は異なる圧縮方式で映像信号を圧縮する。
【００２５】
第１の映像信号圧縮回路１０８の圧縮方式はＭＰＥＧ４−ＡＶＣ（Ｈ．２６４）方式であり、ＨＤＴＶの映像信号の圧縮を行う。第２の映像信号圧縮回路１０９の圧縮方式はＭＰＥＧ２方式で、ＳＤＴＶの映像信号の圧縮を行う。また、映像信号処理回路１０３から出力される映像信号はＨＤＴＶに対応した信号であるため、第２の映像信号圧縮回路１０９は、信号の圧縮前にＨＤＴＶをＳＤＴＶへダウンコンバートするダウンコンバート回路を含んでいる。
【００２６】
圧縮された映像信号は記録回路１１０で光学ディスク１１１に記録される。記録回路１１０は映像信号を所定のデータに変換する。変換されたデータはピックアップ部（不図示）を介してレーザー光で記録される。その際に、光学ディスク１１１を回転するスピンドルモーターとピックアップ部を駆動するトラッキングモーターの駆動制御を行うモータードライバ制御も記録回路１１０から行われる。なお、スピンドルモーター、トラッキングモーター、モータードライバはいずれも不図示。
【００２７】
光学ディスク１１１は、ＤＶＤ−ＲやＤＶＤ−ＲＷのように記録時には記録層にレーザー光を照射し情報を記録する。再生時には記録層へレーザー光を照射し、その反射光をピックアップ部で検出して情報を取り出す（光学ディスク１１１の構造は不図示）。記録媒体検出回路１２０は光学ディスク１１１のディスク情報を読み取り、マイクロコンピュータ１１３へ出力する。
【００２８】
マイクロコンピュータ１１３は、その結果から光学ディスク１１１が装着されているか否かを判断する。また、フォーマット済みか否かを判断し、フォーマット済みであればフォーマットの種類を判断する。
【００２９】
初期化選択回路１１４は、フォーマットを行う回路を、第１の初期化回路１１５〜第４の初期化回路１１８の中から選択する。第１の初期化回路１１５は、ＤＶＤ記録用にＵＤＦ２．０でファイルフォーマットを行い、Ｖｉｄｅｏフォーマットでディスクフォーマットを行う。第２の初期化回路１１６は、ＤＶＤ記録用にＵＤＦ２．０でファイルフォーマットを行い、ＶＲフォーマットでディスクフォーマットを行う。第３の初期化回路１１７は、ＡＶＣＨＤ記録用にＵＤＦ２．５でファイルフォーマットを行い、Ｖｉｄｅｏフォーマットでディスクフォーマットを行う。第４の初期化回路１１８は、ＡＶＣＨＤ記録用にＵＤＦ２．５でファイルフォーマットを行い、ＶＲフォーマットでディスクフォーマットを行う。本実施形態においては、このように、異なるファイルフォーマットとディスクフォーマットの組み合わせでフォーマットを行うための初期化データを出力する４種類の初期化回路１１５〜１１８を備えている。なお、フォーマットの種別はマイクロコンピュータ１１３から指示される。
【００３０】
記録回路１１０は、フォーマット処理時に選択されたファイルフォーマットに応じた初期化データを光学ディスク１１１に記録する。初期化要求回路１１２は、映像出力端子１０５あるいはＬＣＤ１０６に表示されたメニュー画面から操作キー（操作キーは不図示）により選択されたフォーマットの種別とフォーマット開始の指示をマイクロコンピュータ１１３へ出力する。カメラモード切替回路１１９はメニュー画面からＳＤＴＶもしくはＨＤＴＶの何れかのカメラモードで記録を行うかを選択し、選択結果をマイクロコンピュータ１１３へ出力する。
【００３１】
前述のように、ＨＤＴＶ方式の映像信号をＤＶＤディスクなどの記録媒体に記録するための民生用レコーダの規格として、近年、ＡＶＣＨＤ規格が提案された。
ＡＶＣＨＤ規格では、動画の圧縮方式としてＭＰＥＧ４−ＡＶＣ（Ｈ．２６４）方式を用いる。また、光学ディスクに対して記録する際のファイルフォーマットとしてＵＤＦ２．５を用いている。本実施形態では、記録フォーマットとして、ＤＶＤ規格及びＡＶＣＨＤ規格の２種類の記録フォーマットを選択することができる。
【００３２】
次に、本実施形態におけるカメラモード、映像圧縮方式、光学ディスクのファイルフォーマット及び信号の記録方式の組み合わせについて説明する。
ディスクカムコーダの記録フォーマットとしてＤＶＤとＡＶＣＨＤの二種類がある。ＤＶＤは動画の圧縮方式としてＭＰＥＧ２方式を、光学ディスクのファイルフォーマットとしてＵＤＦ２．０を用い、カメラモードとしてはＳＤＴＶの解像度の記録に対応している。
【００３３】
一方、ＡＶＣＨＤは動画の圧縮方式としてＭＰＥＧ４−ＡＶＣ（Ｈ．２６４）方式を、光学ディスクのファイルフォーマットとしてＵＤＦ２．５を用いており、ＨＤＴＶの解像度の記録にも対応している。また、各記録フォーマットはともに光学ディスクへの記録の際に、ＶｉｄｅｏフォーマットもしくはＶＲフォーマットのディスクフォーマットの選択が可能である。
【００３４】
図２は、各カメラモード、記録フォーマット、ディスクフォーマットの組み合わせで記録可能な構成を示す図である。なお、「○」が記録可能な組み合わせを示し、「×」が記録不可能な組み合わせを示している。
【００３５】
図２に示すように、組み合わせとしては８通りあるが、記録フォーマットとしてＤＶＤを選択した場合は、カメラモードはＳＤＴＶしか選択できない。一方で、ＡＶＣＨＤを選択した場合は、カメラモードはＨＤＴＶしか選択できない。このように光学ディスク１１１の記録フォーマットを決定するとカメラモードが決定される。
【００３６】
（第１の実施形態）
装着された初期化済ディスクのファイルフォーマットが撮像装置のファイルフォーマットと異なる場合、撮像装置をディスクのファイルフォーマットに切り替え、追記可能な状態に遷移させるまでの処理手順について図３及び図６を用いて説明する。
【００３７】
まず、ステップＳ３０１において、光学ディスク１１１が装着されたか否かを判断する。この判断の結果、光学ディスク１１１が装着されるとステップＳ３０２に進み、記録媒体検出回路１２０から入力されたディスク情報から装着された光学ディスク１１１のディスク種別情報を取得し、その後、ステップＳ３０３へ進む。なお、ディスク種別情報は、ファイルフォーマットやディスクフォーマットの種別からなる情報である。装着された光学ディスク１１１がフォーマット済みであれば、所定の値が得られる。
【００３８】
ステップＳ３０３においては、装着された光学ディスク１１１が初期化済であるか否かを判断する。この判断は、ステップＳ３０２で取得したディスク種別情報に基いて行う。この判断の結果、初期化済でない（ブランクディスク）場合はこの処理の対象ではないので処理を終了する。また、ステップＳ３０３の判断の結果、初期化済であった場合にはステップＳ３０４に進む。
【００３９】
ステップＳ３０４においては、前記ディスク種別情報より得られたファイルフォーマットと撮像装置が動作しているファイルフォーマットとの相違を判別する。この判別の結果、これらが異なるファイルフォーマットであればステップＳ３０５へ進む。また、ステップＳ３０４の判断の結果、これらのファイルフォーマットが一致する場合には処理を終了する。
【００４０】
なお、ここで判別するファイルフォーマットとは、ＵＤＦ２．０とＵＤＦ２．５のファイルシステムを示している。光学ディスク１１１のファイルフォーマットがＵＤＦ２．０（ＤＶＤ規格）で撮像装置がＵＤＦ２．５（ＡＶＣＨＤ）である場合、またはディスクのファイルフォーマットがＵＤＦ２．５（ＡＶＣＨＤ）で撮像装置がＵＤＦ２．０（ＤＶＤ）である場合を示す。
【００４１】
ステップＳ３０５では、本体の撮像動作を光学ディスク１１１のファイルフォーマットに切り替えることで、初期化済のディスクに追記を可能とする。ステップＳ３０４の判断の結果が「YES」の場合及びＳ３０５の処理を実行する場合における表示画面の一例を図６（ａ）に示す。この画面において、ユーザーにディスクのファイルフォーマットに応じて、撮像装置のファイルフォーマットを切り替えることをユーザーに伝える。
【００４２】
（第２の実施形態）
装着された初期化済ディスクのファイルフォーマットが撮像装置のファイルフォーマットと異なる場合、装着されたディスクのEject要求を行い、Ejectを完了させるまでの処理手順について図４、図６を用いて説明する。
【００４３】
まず、ステップＳ４０１において、光学ディスク１１１が装着されたか否かを判断する。この判断の結果、光学ディスク１１１が装着されるとステップＳ４０２に進み、記録媒体検出回路１２０から入力されたディスク情報から装着された光学ディスク１１１のディスク種別情報を取得し、その後、ステップＳ４０３へ進む。ここで、ディスク種別情報は、ファイルフォーマットやディスクフォーマットの種別からなる情報である。装着された光学ディスク１１１がフォーマット済みであれば、所定の値が得られる。
【００４４】
ステップＳ４０３においては、装着された光学ディスク１１１が初期化済であるか否かを判断する。この判断は、ステップＳ４０２で取得したディスク種別情報に基いて行う。この判断の結果、初期化済でない（ブランクディスク）場合はこの処理の対象ではないので処理を終了する。また、ステップＳ４０３の判断の結果、初期化済であった場合にはステップＳ４０４に進む。
【００４５】
ステップＳ４０４では、前記ディスク種別情報より得られたファイルフォーマットと撮像装置が動作しているファイルフォーマットを判別し、異なるファイルフォーマットであればステップＳ４０５へ進む。なお、ここで判別されるファイルフォーマットとは、ＵＤＦ２．０とＵＤＦ２．５のファイルシステムを示している。ディスクのファイルフォーマットがＵＤＦ２．０（ＤＶＤ規格）で撮像装置がＵＤＦ２．５（ＡＶＣＨＤ）、またはディスクのファイルフォーマットがＵＤＦ２．５（ＡＶＣＨＤ）で撮像装置がＵＤＦ２．０（ＤＶＤ）である場合を示す。
【００４６】
ステップＳ４０５では、装着された光学ディスクは撮像装置が動作しているファイルフォーマットでは追記不能であるため、光学ディスクのＥｊｅｃｔ処理を実行する。ステップＳ４０４及びＳ４０５における表示画面を図６（ｂ）に示す。この画面においてユーザーに撮像装置のファイルフォーマットに合致した光学ディスクの装着を促す。
【００４７】
（第３の実施形態）
この第３の実施形態は、装着された再初期化可能で既に初期化が行われたディスクのファイルフォーマットが撮像装置で保持されるフォーマットと異なる場合である。このような場合、装着ディスクを再初期化し、撮像装置で保持されるフォーマットで記録を開始するようにしている。第３の実施形態における処理手順について図５、図６を用いて説明する。
【００４８】
まず、ステップＳ５０１において、光学ディスク１１１が装着されたか否かを判断する。この判断の結果、光学ディスク１１１が装着されるとステップＳ５０２に進み、記録媒体検出回路１２０から入力されたディスク情報から装着された光学ディスク１１１のディスク種別情報を取得し、その後、ステップＳ５０３へ進む。ここで、ディスク種別情報は、ファイルフォーマットやディスクフォーマットの種別からなる情報である。装着された光学ディスク１１１がフォーマット済みであれば、所定の値が得られる。
【００４９】
ステップＳ５０３においては、装着された光学ディスク１１１が初期化済であるか否かを判断する。この判断は、ステップＳ５０２で取得したディスク種別情報に基いて行う。この判断の結果、初期化済でない（ブランクディスク）場合はこの処理の対象ではないので処理を終了する。また、ステップＳ５０３の判断の結果、初期化済であった場合にはステップＳ５０４に進む。
【００５０】
ステップＳ５０４では、前記ディスク種別情報より得られたファイルフォーマットと撮像装置が動作しているファイルフォーマットを判別し、異なるファイルフォーマットであればステップＳ５０５へ進む。なお、ここで判別するファイルフォーマットとは、ＵＤＦ２．０とＵＤＦ２．５のファイルシステムを示している。ディスクのファイルフォーマットがＵＤＦ２．０（ＤＶＤ規格）で撮像装置がＵＤＦ２．５（ＡＶＣＨＤ）、またはディスクのファイルフォーマットがＵＤＦ２．５（ＡＶＣＨＤ）で撮像装置がＵＤＦ２．０（ＤＶＤ）である場合を示す。
【００５１】
ステップＳ５０５においては、装着された光学ディスク１１１を初期化するか否かをユーザーに選択させる。この選択結果、ユーザーが再初期化を選択した場合にはステップＳ５０６に進む。ステップＳ５０６では、装着された光学ディスクは再初期化可能な光学ディスクであるため、撮像装置のファイルフォーマットに再初期化を行い、記録を動作に移行する。
【００５２】
ステップＳ５０４〜Ｓ５０６における表示画面を図６（ｃ）に示す。この画面においてユーザーに光学ディスクの再初期化を促し、撮像装置が動作しているファイルフォーマットで記録できるように遷移する。この画面において再初期化を行わせるか否かをユーザーに選択させるための選択表示項目も追加している（４０１）。なお、再初期化を行わない選択がされた場合、撮像装置を記録動作に遷移させることは行わず、その後の操作はユーザーの判断にゆだねることになる（Ｅｊｅｃｔを行う、ユーザー自ら本体のファイルフォーマットを切り替える等）。
【００５３】
（本発明に係る他の実施形態）
前述した本発明の実施形態における撮像装置を構成する各手段、並びに撮像装置の制御方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５４】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００５５】
なお、本発明は、前述した実施形態の機能を実現するソフトウェアのプログラム（実施形態では図３〜図５に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５７】
その場合、プログラムの機能を有していれば、オブジェクトコード、インタプリタにより実行されるプログラム、ＯＳに供給するスクリプトデータ等の形態であってもよい。
【００５８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００５９】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００６０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【００６１】
また、本発明のプログラムを暗号化してＣＤ−ＲＯＭ等の記録媒体に格納してユーザーに配布し、所定の条件をクリアしたユーザーに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００６２】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００６３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６４】
【図１】本発明の実施形態におけるディスクカムコーダの構成例を説明するブロック図である。
【図２】本発明の実施形態における記録フォーマットとカメラモードとの組み合わせを示す図である。
【図３】第１の実施形態の動作手順を説明するフローチャートである。
【図４】第２の実施形態の動作手順を説明するフローチャートである。
【図５】第３の実施形態の動作手順を説明するフローチャートである。
【図６】本発明の実施形態において、ＬＣＤに表示される内容の一例を説明する図である。
【符号の説明】
【００６５】
１０１  レンズ
１０２  ＣＣＤ
１０３  映像信号処理回路
１０４  映像表示出力回路
１０５  映像出力端子
１０６  ＬＣＤ
１０７  切替回路
１０８  第１の映像信号圧縮回路
１０９  第２の映像信号圧縮回路
１１０  記録回路
１１１  光学ディスク
１１２  初期化要求回路
１１３  マイクロコンピュータ
１１４  初期化選択回路
１１５  第１の初期化回路
１１６  第２の初期化回路
１１７  第３の初期化回路
１１８  第４の初期化回路
１１９  カメラモード切替回路
１２０  記録媒体検出回路
４０１  再初期化の選択表示
【図１】
2008054231.tif 000003
【図２】
2008054231.tif 000004
【図３】
2008054231.tif 000005
【図４】
2008054231.tif 000006
【図５】
2008054231.tif 000007
【図６】
2008054231.tif 000008